(57)【要約】【課題】  ゲート式RF-IDタグリーダライタを通さなくとも物品の保管位置を把握することが可能な物品管理システムを提供する。【解決手段】  物品等にメモリ付き集積回路を有するRF-IDタグの位置IDと、予め保管場所に設置した無線方式RF-IDタグリーダライタの位置IDの一致/不一致を判定する機能を無線方式RF-IDタグリーダライタに持たすことにより物品の入庫及び出庫を検知する。又、管理端末にデータベースとして登録され、無線方式RF-IDタグリーダライタから送信される物品の位置情報を受け取ることにより、物品の保管場所を即座に把握する。【選択図】  図１
2006188311.tif 000002
【特許請求の範囲】
【請求項１】
物品に付されたRF-IDタグを無線方式で読み書き可能なRF-IDタグリーダライタ装置を管理区域毎に備えた物品管理システムであって、タグリーダライタ装置は物品に付されたRF-IDタグの位置を検出してその位置情報を管理端末へ通知する機能と、物品未検出を管理端末へ通知する機能を有し、管理端末はRF-IDタグリーダライタ装置から通知される物品情報をデータベースに登録して物品の管理を行う物品管理システム。
【発明の詳細な説明】
【技術分野】
【０００１】
本発明は、倉庫、オフィス等に保管している物品の管理を行う物品管理システムに関する。
【背景技術】
【０００２】
従来、倉庫、オフィス、図書館等で管理されている物品は、一般的には管理番号又はバーコードを記載した管理ラベルを用いて、そのラベルを管理対象の物品に貼り付け、管理担当者が、管理サーバや管理台帳に登録する必要があった。又、最近では、管理番号、バーコードに変わる技術として、RF-IDタグ(一般に「無線ICタグ」「非接触ICタグ」等と表現される場合もある)を管理対象物品に貼り付け、RF-IDタグに登録された情報をRF-IDリーダで読み取ることにより所在の確認を容易にし、フロア等の出入り口に設置されたゲート式RF-IDリーダライタを利用することで物品の移動を検知することが可能となった。
【０００３】
【特許文献１】特開２００４−２６４７８
【発明の開示】
【発明が解決しようとする課題】
【０００４】
このように管理対象の物品にRF-IDタグを付けることにより物品管理が容易になったが、保管場所への入庫及び出庫時は、出入口付近に設置されたゲート式RF-IDタグリーダライタ等を通すことにより物品の保管位置を把握することが可能だが、ゲート式RF-IDタグリーダライタを通すことを怠れば、物品の保管位置の把握が不可能になる。その為、ゲート式RF-IDタグリーダライタを通さなくとも物品の保管位置を把握することが可能な物品管理システムを提供することを目的とする。
【課題を解決するための手段】
【０００５】
本発明は、物品等にメモリ付き集積回路を有するRF-IDタグの位置IDと、予め保管場所に設置した無線方式RF-IDタグリーダライタの位置IDの一致/不一致を判定する機能を無線方式RF-IDタグリーダライタに持たすことにより物品の入庫及び出庫を検知する。又、管理者が使用する管理端末にデータベースとして登録され、無線方式RF-IDタグリーダライタから送信される物品の位置情報を受け取ることにより、物品の保管場所を即座に把握することが可能となる。
【発明の効果】
【０００６】
本発明は、物品等にメモリ付き集積回路を有するRF-IDタグの位置IDと、予め保管場所に設置したRF-IDタグリーダライタの位置IDの一致/不一致を判定する機能を
持つことにより、従来ゲート式RF-IDタグリーダライタを通して物品の管理を行うことなく物品管理を行うことが可能なシステムである。
【発明を実施するための最良の形態】
【０００７】
以下、本発明を実施するための実施例を説明する。
【０００８】
実施形態として示す以下の例は、事務所内における物品(パソコンなどのOA機器など)を対象とする物品管理システムであり、保管している物品の状態をシステム内に装備したものである。尚、本例は、事務所内における物品を対象とする物品管理システムであるが、物品を所定の場所で保管するシステムであれば、本システムにて適用可能である。
【０００９】
図１は、本実施形態のシステム全体を示す概略図である。本システムは、物品を保管する保管場所２０にRF-IDタグが読み書き可能なRF-IDタグリーダライタ３０が設置している。又、各RF-IDタグリーダライタからの情報を元に物品の管理を行う管理端末１０が有り、管理端末１０と各RF-IDタグリーダライタ３０の間はネットワーク１００を介して接続されている。
【００１０】
図２は、本実施形態で使用する構成を表すものでは管理端末１０及びRF-IDタグリーダ３０の構成要素を示す。
【００１１】
管理端末１０は、物品情報をデータベース化した物品DB１２、RF-IDタグリーダライタの設置位置をデータベース化した位置DB１３、管理対象となる物品40のRF-IDタグ５０を無線方式で読み書き機能を有するタグリーダライタ１４、RF-IDタグリーダライタ３０とデータ通信を行う通信部１５で構成され、それらは、制御部１１によって全体を制御される。制御部１１は、管理端末内部の制御の他に、RF-IDタグリーダ３０に対して保管場所に格納している物品の状態監視を指示/確認する機能を有しており、本システム全体に関わる制御も行う。 RF-IDタグリーダライタ３０は、各保管場所に設置しており、管理対象となる物品のRF-IDタグ４０を無線方式で読み書き可能なタグリーダライタ３３、管理端末１０とデータ通信を行う通信部３２で構成され、それらは制御部３１によって制御される。又、制御部３１には、管理端末１０の位置DB１３に登録されている管理番号が付与されている。
【００１２】
図3(a)〜(c)は、本システムの実施形態をシーケンスに表した詳細な説明を示す。
【００１３】
図3(a)は、管理対象となる物品の登録を行うシーケンスで、物品に付与されたRF-IDタグ情報を管理端末に備わったタグリーダライタを使用して情報を読み出し(1)、読み出したRF-IDタグ情報と管理端末が発行する管理IDを物品DBへ登録する(2)。管理端末は、物品DBに登録した管理IDを管理端末に備わっているRF-IDタグリーダライタを使用して物品のRF-IDタグに発行し書き込みを実施する(３)。
【００１４】
図3(b)は、管理端末に登録した物品を保管場所に設置し、管理対象となる物品の位置情報を登録するシーケンスである。保管場所に設置した物品は、各保管場所に設置されたRF-IDタグリーダライタにRF-IDタグ情報を読み出す(1)。RF-IDタグリーダライタは、自身が持っている位置IDとRF-IDが持っている位置IDをチェックし(2)、位置IDが不一致の場合は、RF-IDタグに対して位置IDの書き込みを実施する(3)-1。(3)-1実施後又は、位置IDが一致する場合は、管理端末１０へ管理/位置IDを発信し(3)-2、管理端末は、物品DBに対象管理IDに位置IDを更新する(4)。管理端末への物品DB登録後、保管場所に設置しているRF-IDタグリーダライタは、物品位置の監視を行う(5)。RF-IDタグリーダの物品位置の監視は、常に無線を利用して通信を行っていることが好ましいが、管理端末から一定期間に物品位置の監視する手段でも対応可能とする。
【００１５】
図3(c)は、管理対象の物品が未検出の場合における移動先の確認シーケンスで、物品位置の監視(1)においてRF-IDタグリーダライタが未検出の管理IDを検知すると(2)、RF-IDタグリーダライタは、管理IDと位置IDを管理端末へ発信する(3)。管理端末は、他保管場所への設置有無を検知するため全RF-IDタグリーダライタに対して物品位置確認を行う(5)。各RF-IDタグリーダは、それぞれの該当する保管場所内に管理IDの有無を調査し(6)、該当する管理IDがあれば、図３(b)のシーケンスにて物品DBに対して位置情報の変更を実施する。
【図面の簡単な説明】
【００１６】
【図１】本発明を実施するためのシステム構成概略図
【図２】図１に示したシステム構成の構成要素
【図３】本システムにおける運用時のシーケンス
【符号の説明】
【００１７】
１０          管理端末
２０          保管場所
３０          RF-IDタグリーダライタ装置
４０          物品
５０          RF-IDタグ
１００        ネットワーク
【図１】
2006188311.tif 000003
【図２】
2006188311.tif 000004
【図３】
2006188311.tif 000005